(57)【要約】【課題】操作画面の構成をユーザの業務形態に好適な構成に容易に変更可能にする。【解決手段】業務形態情報記憶部９に、業務形態に合わせて頻繁に使用される機能に対応する操作ボタンの情報が記述された業務形態テーブルを予め記憶する。ＣＰＵ２は、ユーザが入力装置８を操作することにより業務形態を選択するのに応じて、選択された業務形態に対応する操作ボタンの情報を業務形態テーブルから検索する。そして、ＣＰＵ２は、検索された操作ボタンの情報に従って操作画面を構成し、表示装置７に表示する。これにより、ユーザは、操作画面の構成をユーザが選択した業務形態に好適な構成に容易に変更することができる。【選択図】図１
2005288946.tif 000002
【特許請求の範囲】
【請求項１】
操作画面を表示する表示部を有し、操作画面の操作ボタンを選択操作することにより操作ボタンに割り当てられた機能の実行を指示可能な印刷装置であって、
前記操作画面に配置する操作ボタンの情報を複数の業務形態毎に記憶する記憶部と、
ユーザが前記複数の業務形態の中から前記印刷装置を使用する主たる業務形態を選択するための選択部と、
前記選択部により主たる業務形態が選択されるのに応じて、該業務形態に対応する操作ボタンの情報を前記記憶部から読み出し、該操作ボタンの情報に従って操作画面を構成し、該操作画面を表示部に表示させる制御部と
を備えることを特徴とする印刷装置。
【請求項２】
前記操作ボタンの情報は、操作画面における操作ボタンの配置位置の情報を含み、前記制御部は、操作ボタンの配置位置の情報に従って操作ボタンを操作画面に配置することを特徴とする請求項１に記載の印刷装置。
【請求項３】
前記操作ボタンの情報は、操作ボタンに割り当てられた機能の初期値の情報を含み、前記制御部は、当該初期値の情報に従って操作ボタンの機能を立ち上げることを特徴とする請求項１又は請求項２に記載の印刷装置。
【請求項４】
前記記憶部から読み出された操作ボタンの情報を記憶する登録情報記憶部を備え、前記制御部は、前記印刷装置が起動された際、前記登録情報記憶部により前記操作ボタンの情報に従って操作画面を構成、表示することを特徴とする請求項１から請求項３のうち、いずれか１項に記載の印刷装置。
【請求項５】
操作画面を表示する表示部を有し、操作画面の操作ボタンを選択操作することにより操作ボタンに割り当てられた機能の実行を指示可能な印刷装置の制御方法であって、
ユーザが複数の業務形態の中から前記印刷装置を使用する主たる業務形態を選択するステップと、
ユーザが主たる業務形態を選択するのに応じて、該業務形態に対応する操作ボタンの情報を前記操作画面に配置される操作ボタンの情報を複数の業務形態毎に記憶する記憶部から読み出し、該操作ボタンの情報に従って操作画面を構成し、該操作画面を表示部に表示させるステップと
を有することを特徴とする印刷装置の制御方法。
【発明の詳細な説明】
【技術分野】
【０００１】
本発明は、操作画面を表示する表示部を有し、操作画面の操作ボタンを選択操作することにより操作ボタンに割り当てられた機能の実行を指示可能な印刷装置及びその制御方法に関し、より詳しくは、操作画面の構成をユーザの業務形態に好適な構成に容易に変更（カスタマイズ）可能にする技術に係わる。
【背景技術】
【０００２】
近年の印刷装置の多機能化に伴い、操作画面上に多数の操作ボタンが表示され、ユーザが所望の操作ボタンを操作するまでに多くの時間を要するようになったことから、印刷装置の操作性の低下が問題となっている。このような背景から、最近の印刷装置には、使用頻度が高い操作ボタンを操作画面のトップ画面やメニュー画面に表示させる等して、操作画面の構成をユーザに好適な構成に変更可能する操作画面カスタマイズ機能が搭載されるようになっている（例えば、特許文献１，２参照）。
【特許文献１】特開平８−１２９４６９号公報
【特許文献２】特開２００１−２３７９６８号公報
【発明の開示】
【発明が解決しようとする課題】
【０００３】
しかしながら、従来までの操作画面カスタマイズ機能によれば、ユーザは、トップ画面やメニュー画面等、操作画面を構成する複数の画面の中のどの画面にどの操作ボタンを配置するかを考えながら、操作ボタンの配置位置を自分自身で一つ一つ設定しなければならないために、操作画面の構成を所望の構成に変更するまでに多く時間を要する。
【０００４】
また、操作画面のカスタマイズは、印刷装置の操作に不慣れなユーザにとっては、実行することは困難である。このため、従来までの印刷装置によれば、操作画面の構成をユーザの業務形態に適合しない状態でユーザは印刷装置を使用し、印刷作業が効率的に行われていないことがあった。
【０００５】
本発明は、上記課題を解決するためになされたものであり、その目的は、操作画面の構成をユーザの業務形態に好適な構成に容易に変更可能な印刷装置及びその制御方法を提供することにある。
【課題を解決するための手段】
【０００６】
上記課題を解決するため、本発明における印刷装置は、操作画面を表示する表示部を有し、操作画面の操作ボタンを選択操作することにより操作ボタンに割り当てられた機能の実行を指示可能な印刷装置であって、操作画面に配置する操作ボタンの情報を複数の業務形態毎に記憶する記憶部と、ユーザが複数の業務形態の中から印刷装置を使用する主たる業務形態を選択するための選択部と、選択部により主たる業務形態が選択されるのに応じて、業務形態に対応する操作ボタンの情報を前記記憶部から読み出し、操作ボタンの情報に従って操作画面を構成し、操作画面を表示部に表示させる制御部とを備える。
【０００７】
また、本発明における印刷装置の制御方法は、操作画面を表示する表示部を有し、操作画面の操作ボタンを選択操作することにより操作ボタンに割り当てられた機能の実行を指示可能な印刷装置の制御方法であって、ユーザが複数の業務形態の中から印刷装置を使用する主たる業務形態を選択するステップと、ユーザが主たる業務形態を選択するのに応じて、業務形態に対応する操作ボタンの情報を操作画面に配置される操作ボタンの情報を複数の業務形態毎に記憶する記憶部から読み出し、操作ボタンの情報に従って操作画面を構成し、操作画面を表示部に表示させるステップとを有する。
【０００８】
すなわち、本発明における印刷装置及びその制御方法は、ユーザが所望の業務形態を選択操作するのに応じて、選択操作された業務形態に合わせた操作画面の構成に自動的に変更するので、ユーザは操作画面の構成をユーザが選択した業務形態に容易に変更することができる。
【発明を実施するための最良の形態】
【０００９】
本発明は、図１に示すような構成の孔版印刷装置に適用することができる。以下、図面を参照して、本発明の一実施形態となる孔版印刷装置の構成と動作について詳しく説明する。
【００１０】
〔孔版印刷装置の構成〕
始めに、図１を参照して、本発明の一実施形態となる孔版印刷装置の構成について説明する。
【００１１】
図１は、本発明の一実施形態となる孔版印刷装置の構成を示すブロック図である。
【００１２】
本発明の一実施形態となる孔版印刷装置１は、図１に示すように、ＣＰＵ（Central Processing Unit）２が、ＲＯＭ（Read Only Memory）３に記憶された制御プログラムをＲＡＭ（Random Access Memory）５に読み出し、読み出された制御プログラムに従って印刷部６を制御することにより、画像読取処理、製版処理、印刷処理等の処理を含む一連の孔版印刷処理を制御するように構成されている。また、孔版印刷装置１は、ＬＣＤ（Liquid Crystal Display）等の表示装置７と、タッチパネルやテンキー等の入力装置８とを備え、ユーザは、表示装置７に表示される操作画面内の操作ボタンを入力装置８によって選択操作することにより、各種処理の実行を孔版印刷装置１に指示可能なように構成されている。
【００１３】
また、表示装置７に表示される操作画面は、図２，３に示すように、ＰＯＰエリアＡとお気に入りエリアＢを有し、ＰＯＰエリアＡとお気に入りエリアＢ内には、それぞれに固有にエリアＮｏ．が割り当てられた複数のエリアが設けられている。そして、詳しくは後述するが、このＰＯＰエリアＡ及びお気に入りエリアＢ内の各エリアには、ユーザが選択した業務形態に合わせて孔版印刷装置１が有する機能の中から最も頻繁に使用される操作ボタンが配置、表示されるようになっている。なお、上記「操作ボタン」とは、孔版印刷装置１に搭載されている機能毎に割り当てられた操作子を意味し、ユーザが入力装置８を利用して操作ボタンを選択操作するのに応じて、選択操作された操作ボタンに割り当てられた機能の実行がＣＰＵ２に指示される。
【００１４】
また、この孔版印刷装置１では、その有する機能の中から予め設定した業務形態毎に頻繁に使用される操作ボタンを定めた業務形態テーブルを有する。業務形態テーブルは、業務形態情報記憶部９として、予めＲＯＭ３に記憶される。具体的には、業務形態テーブルは、図４に示すような構成を有し、学儒、印刷業等の業務形態毎に、それぞれに機能番号が割り当てられた操作ボタン情報が記述されている。そして、操作ボタン情報は、操作ボタンの配置エリア及びエリアＮｏ．が記述される画像配置位置フィールド、操作ボタンのボタン番号が記述されるボタン番号フィールド、及び操作ボタンの初期値が記述される初期値フィールドを有する。
【００１５】
なお、この実施形態では、操作ボタン情報は、機能番号「１」から順に業務形態テーブルに登録され、配置エリアフィールドに「０」が記述されている状態（例えば業務形態が「学儒」である場合における機能番号「５」に対応する配置エリアフィールド）は、その機能番号には操作ボタン情報が登録されていないことを示す。また、機能番号Ｎの配置エリアフィールドに「０」が記述されている場合、機能番号（Ｎ＋１）以降についても操作ボタン情報は登録されないことは勿論である。また、孔版印刷装置１は、各操作ボタンのボタン番号、ボタン表示名、初期設定値、及び機能説明が記述された図５に示すような操作ボタンテーブルを有する。操作ボタンテーブルは、操作ボタン情報記憶部４として予めＲＯＭ３に記憶される。ＣＰＵ２は、この操作ボタンテーブルと業務形態テーブルとを利用して後述する初期設定処理及び起動処理を実行する。
【００１６】
また、孔版印刷装置１は、Flash-ROMやEEP-ROM（Electronically Erasable and Programmable-ROM）等の不揮発性記憶装置１０を備え、この不揮発性記憶装置１０は、業務形態テーブルに記述されている業務形態の中からユーザが選択した業務形態の情報を記憶する業務形態選択情報記憶部１１と、ユーザが選択した業務形態に従ってＰＯＰエリアＡ及びお気に入りエリアＢに配置される操作ボタンの情報をそれぞれ記憶するＰＯＰエリア登録情報記憶部１２及びお気に入りエリア登録情報記憶部１３とを備える。なお、ＰＯＰエリア登録情報記憶部１２及びお気に入りエリア登録情報記憶部１３は共に、ＰＯＰエリアＡ及びお気に入りエリアＢに設けられた複数の配置エリアのエリアＮｏ．に対応するボタン番号フィールドと初期値フィールドを備え、ボタン番号フィールド及び初期値フィールドにはそれぞれ、各配置エリアに配置する操作ボタンのボタン番号及び初期値が記述される（図８，９参照）。
【００１７】
以上のような構成を有する孔版印刷装置１では、ＣＰＵ２が以下に示す初期設定処理及び起動処理を実行することにより、ユーザが選択した業務形態に合わせて操作画面の構成を好適な構成に容易に変更（カスタマイズ）することを可能にする。以下、この初期設定処理及び起動処理を行う際のＣＰＵ２の動作手順について詳しく説明する。なお、業務形態選択情報記憶部１１、入力装置８、及びＣＰＵ２はそれぞれ、本発明に係る記憶部、選択部、及び制御部として機能する。また、上記ＰＯＰエリア登録情報記憶部１２及びお気に入りエリア登録情報記憶部１３は、本発明に係る登録情報記憶部として機能する。
【００１８】
〔初期設定処理〕
始めに、図６に示すフローチャートを参照して、初期設定処理を行う際のＣＰＵ２の動作手順について説明する。
【００１９】
図６に示すフローチャートは、ユーザが入力装置８を操作して初期設定ボタンを選択するのに応じて開始となり、この初期設定処理はステップＳ１の処理に進む。なお、この実施形態では、ユーザが初期設定ボタンを選択するのに応じて初期設定処理が開始されるものとするが、以下に示す初期設定処理をより確実にユーザに行わせるために、孔版印刷装置１の最初の起動時にこの初期設定処理が開始されるようにしてもよい。
【００２０】
ステップＳ１の処理において、ＣＰＵ２は、ＲＯＭ３に記憶されている業務形態選択画面を読み出し、表示装置７に業務形態選択画面を表示する（図７参照）。なお、図７に示す業務形態選択画面は、一般、学儒、印刷業、チラシ業、及びスキャナレスの業務形態の中からユーザが孔版印刷装置１を使用する主たる業務形態をユーザに選択させるように構成されている。
【００２１】
ステップＳ２の処理において、ユーザは、入力装置８を操作することにより、業務形態選択画面の中から使用する主たる業務形態を１つ選択、確定する。
【００２２】
ステップＳ３の処理において、ＣＰＵ２は、ユーザが選択した業務形態を業務形態選択情報記憶部１１に記憶する。
【００２３】
ステップＳ４の処理において、ＣＰＵ２は、業務形態テーブルの機能番号をカウントするためのプログラムカウンタの値Ｎを１にセットする。
【００２４】
ステップＳ５の処理において、ＣＰＵ２は、業務形態情報記憶部９が記憶する業務形態テーブルを参照して、ユーザが選択した業務形態の機能番号Ｎに対応する操作ボタン情報を検索し、検索された操作ボタン情報の配置エリアフィールドに「０」が記述されているか否かを判別する。そして、判別の結果、配置エリアフィールドに「０」が記述されている場合、ＣＰＵ２は、機能番号Ｎには操作ボタン情報が登録されていないと判断し、一連の初期設定処理を終了する。一方、配置エリアフィールドに「０」が記述されていない場合には、ＣＰＵ２は、機能番号Ｎに操作ボタン情報が登録されていると判断し、初期設定処理をステップＳ６の処理に進める。
【００２５】
ステップＳ６の処理において、ＣＰＵ２は、検索された操作ボタン情報の配置エリアフィールドを参照して、配置エリアとしてＰＯＰエリアＡが指定されているか否かを判別する。そして、配置エリアとしてＰＯＰエリアＡが指定されている場合、ＣＰＵ２は、初期設定処理をステップＳ７の処理に進める。一方、配置エリアとしてお気に入りエリアＢが指定されている場合には、ＣＰＵ２は、初期設定処理をステップＳ９の処理に進める。
【００２６】
ステップＳ７の処理において、ＣＰＵ２は、検索された操作ボタン情報のボタン番号フィールドに記憶されているボタン番号を読み出し、図８に示すように、エリアＮｏ．フィールドに記憶されているエリアＮｏ．と同じＰＯＰエリア登録情報記憶部１２のエリアＮｏ．に対応するボタン番号フィールドに読み出されたボタン番号を記憶する。そして、ＣＰＵ２は、初期設定処理をステップＳ８の処理に進める。
【００２７】
ステップＳ８の処理において、ＣＰＵ２は、検索された操作ボタン情報の初期値フィールドに記憶されている初期値を読み出し、図８に示すように、エリアＮｏ．フィールドに記憶されているエリアＮｏ．と同じＰＯＰエリア登録情報記憶部１２のエリアＮｏ．に対応する初期値フィールドに読み出された初期値を記憶する。そして、ＣＰＵ２は、初期設定処理をステップＳ１１の処理に進める。
【００２８】
ステップＳ９の処理において、ＣＰＵ２は、検索された操作ボタン情報のボタン番号フィールドに記憶されているボタン番号を読み出し、図９に示すように、配置エリアフィールドに記憶されているエリアＮｏ．と同じお気に入りエリア登録情報記憶部１３のエリアＮｏ．に対応するボタン番号フィールドに読み出されたボタン番号を記憶する。そして、ＣＰＵ２は、初期設定処理をステップＳ１０の処理に進める。
【００２９】
ステップＳ１０の処理において、ＣＰＵ２は、検索された操作ボタン情報の初期値フィールドに記憶されている初期値を読み出し、図９に示すように、配置エリアフィールドに記憶されているエリアＮｏ．と同じお気に入りエリア登録情報記憶部１３のエリアＮｏ．に対応する初期値フィールドに読み出された初期値を記憶する。そして、ＣＰＵ２は、初期設定処理をステップＳ１１の処理に進める。
【００３０】
ステップＳ１１の処理において、ＣＰＵ２は、プログラムカウンタの値Ｎを１増数した後、初期設定処理をステップＳ５の処理に戻す。
【００３１】
以上の初期設定処理により、ＰＯＰエリア登録情報記憶部１２及びお気に入りエリア登録情報記憶部１３にはそれぞれ、図８，９に示すように、ユーザが選択した業務形態に対応する操作ボタン及びその初期値が登録される。そして、このようにしてＰＯＰエリア登録情報記憶部１２及びお気に入りエリア登録情報記憶部１３内に操作ボタンが登録されると、ＣＰＵ２は以下に示す起動処理を実行することにより、ユーザが選択した業務形態に好適な構成の操作画面を表示装置７に表示する。以下、図１０，１１に示すフローチャートを参照して、この起動処理を実行する際のＣＰＵ２の動作手順について説明する。
【００３２】
〔起動処理〕
図１０に示すフローチャートは、孔版印刷装置１の電源がオン状態になるのに応じて開始となり、ステップＳ２１の処理に進む。
【００３３】
ステップＳ２１の処理において、ＣＰＵ２は、表示装置７及び入力装置８を初期化する。なお、このステップＳ２１の処理の詳細については、図１１に示すフローチャートを参照して後述する。
【００３４】
ステップＳ２２の処理において、ＣＰＵ２は、印刷部６を初期化する。これにより、一連の起動処理は終了し、孔版印刷装置１は使用可能な状態となる。
【００３５】
〔初期化処理〕
図１１に示すフローチャートは、孔版印刷装置１の電源がオン状態になるのに応じて開始となり、この初期化処理はステップＳ３１の処理に進む。
【００３６】
ステップＳ３１の処理において、ＣＰＵ２は、ＰＯＰエリアＡ内のエリア番号をカウントするためのプログラムカウンタの値Ｎを１にセットする。
【００３７】
ステップＳ３２の処理において、ＣＰＵ２は、プログラムカウンタの値ＮがＰＯＰエリアＡの総エリア数Ｎａに１加算した数（この実施形態では、Ｎａ＝４。図２参照）以上であるか否かを判別する。そして、判別の結果、プログラムカウンタの値ＮがＰＯＰエリアＡの総エリア数Ｎａに１加算した数以上である場合、ＣＰＵ２は、この初期設定処理をステップＳ３５の処理に進める。一方、プログラムカウンタの値ＮがＰＯＰエリアＡの総エリア数Ｎａ以下の場合には、ＣＰＵ２は、この初期設定処理をステップＳ３３の処理に進める。
【００３８】
ステップＳ３３の処理において、ＣＰＵ２は、操作ボタンテーブルを参照して、ＰＯＰエリア登録情報記憶部１２のエリアＮｏ．のボタン番号フィールドに記憶されているボタン番号に対応する操作ボタンの画像データを、ＰＯＰエリアＡのエリアＮｏ．に対応する操作画面のエリアＮｏ．のエリアに貼り付ける。
【００３９】
ステップＳ３４の処理において、ＣＰＵ２は、プログラムカウンタの値Ｎに１を加算し、この初期設定処理をステップＳ３２の処理に戻す。
【００４０】
ステップＳ３５の処理において、ＣＰＵ２は、お気に入りエリアＢのエリアＮｏ．をカウントするためのプログラムカウンタの値Ｍを１にセットする。
【００４１】
ステップＳ３６の処理において、ＣＰＵ２は、プログラムカウンタの値Ｍがお気に入りエリアＢの総エリア数Ｎｂに１加算した数（この実施形態では、Ｎｂ＝９。図３参照）以上であるか否かを判別する。そして、判別の結果、プログラムカウンタの値Ｍがお気に入りエリアＢの総エリア数Ｎｂに１加算した数以上である場合、ＣＰＵ２は、この初期設定処理をステップＳ３９の処理に進める。一方、プログラムカウンタの値Ｍがお気に入りエリアＢの総エリア数Ｎｂ以下の場合には、ＣＰＵ２は、この初期設定処理をステップＳ３７の処理に進める。
【００４２】
ステップＳ３７の処理において、ＣＰＵ２は、操作ボタンテーブルを参照して、お気に入りエリア登録情報記憶部１３のエリアＮｏ．Ｎのボタン番号フィールドに記憶されているボタン番号に対応する操作ボタンの画像データを、お気に入りエリアＢのエリアＮｏ．Ｎに対応する操作画面のエリアＮｏ．のエリアに貼り付ける。
【００４３】
ステップＳ３８の処理において、ＣＰＵ２は、プログラムカウンタの値Ｍに１を加算し、この初期設定処理をステップＳ３６の処理に戻す。
【００４４】
ステップＳ３９の処理において、ＣＰＵ２は、上記処理完了後の操作画面の画像データを用いて表示装置７に操作画面を表示する。なお、操作画面を表示する際、ＣＰＵ２は、ＰＯＰエリア登録情報記憶部１２及びお気に入りエリア登録情報記憶部１３の初期値フィールドを参照して、初期値フィールドに記述されている初期値に従って操作ボタンの機能を立ち上げる。具体的には、任意のボタン番号の初期値が「ＯＮ」とは、そのボタン番号が配置される操作画面が開かれると、自動的にボタン番号の機能が立ち上がり、「ＯＦＦ」とは、そのボタン番号が配置される操作画面が開かれても、そのボタン番号（実際はボタン）をクリックしない限り、その機能は立ち上がらないことを意味する。
【００４５】
ステップＳ４０の処理において、ＣＰＵ２は、入力装置８を初期化する。これにより、一連の初期化処理は完了する。そして、このような処理によれば、例えばユーザが業務形態として「学儒」を選択した場合には、ＰＯＰエリアＡのエリアＮｏ．１，２のエリアには、図１２に示すように「かんたん２面連写」機能及び「ブック」機能に対応する操作ボタン、ＰＯＰエリア番号ＢのエリアＮｏ．１，２のエリアには、図１３に示すように「機密」機能及び「メモリー」機能に対応する操作ボタンがそれぞれ表示され、ユーザが選択した業務形態「学儒」に合わせて頻繁に使用される機能に対応する操作ボタンが操作画面上に表示されるようになる。
【００４６】
以上の説明から明らかなように、本発明の一実施形態となる孔版印刷装置１によれば、業務形態情報記憶部９に、業務形態に合わせて頻繁に使用される機能に対応する操作ボタンの情報が記述された業務形態テーブルを予め記憶し、ＣＰＵ２は、ユーザが入力装置８を操作することにより業務形態を選択するのに応じて、選択された業務形態に対応する操作ボタンの情報を業務形態テーブルから検索し、検索された操作ボタンの情報に従って操作画面を構成、表示するので、ユーザは、操作画面の構成をユーザが選択した業務形態に好適な構成に容易に変更することができる。
【００４７】
また、本発明の一実施形態となる孔版印刷装置１によれば、業務形態テーブルには、各操作ボタンの操作画面上における画像配置位置の情報が記述され、ＣＰＵ２は、検索された操作ボタンの画像配置位置の情報に従って操作ボタンを操作画面の配置位置にレイアウトするので、ユーザは、操作画面の構成を好適な構成に容易に変更することができる。
【００４８】
さらに、本発明の一実施形態となる孔版印刷装置１によれば、業務形態テーブルには、操作ボタンの初期値の情報が記述され、ＣＰＵ２は、抽出された操作ボタンの初期値の情報に従って操作ボタンの機能を立ち上げるので、ユーザにとってより簡単に印刷環境を構築することができる。
【００４９】
また、本発明の一実施形態となる孔版印刷装置１によれば、業務形態情報記憶部９から読み出された操作ボタンの情報は、ＰＯＰエリア登録情報記憶部１２及びお気に入りエリア登録情報記憶部１３に記憶され、孔版印刷装置１が起動された際、ＣＰＵ２は、ＰＯＰエリア登録情報記憶部１２及びお気に入りエリア登録情報記憶部１３に記憶された情報に従って表示装置７に操作画面を表示するので、ユーザは、一度初期設定処理を行えば、常に好適な印刷環境で印刷作業を行うことができる。
【００５０】
以上、本発明者によってなされた発明を適用した実施形態について説明したが、この実施形態による本発明の開示の一部をなす論述及び図面によって本発明は限定されることはない。例えば、上記実施形態では、業務形態によって操作画面内に表示する操作ボタンを分類したが、本発明はこれに限られることはなく、国内用及び国外用の印刷装置により分類、国別、地域別で分類、装置の機種に応じて分類、若しくは、これら分類の組み合わせ等、操作画面内に表示する操作ボタンをその他のグループで分類するようにしてもよい。また、本実施形態は本発明を孔版印刷装置に適用したものであるが、本発明は、レーザービームプリンタやインクジェットプリンタ等の印刷装置にも適用することができる。このように、上記実施形態に基づいて当業者等によりなされる他の実施形態、実施例及び運用技術等は全て本発明の範疇に含まれることは勿論であることを最後に付け加えておく。
【産業上の利用可能性】
【００５１】
本発明は、孔版印刷装置、レーザビームプリンタ、インクジェットプリンタ等、操作画面を表示する表示部を備え、操作画面内の操作ボタンを選択操作することにより操作ボタンに割り当てられた機能の実行を指示可能な印刷装置に適用することができる。
【図面の簡単な説明】
【００５２】
【図１】本発明の一実施形態となる孔版印刷装置の構成を示すブロック図である。
【図２】図１に示す表示装置に表示される操作画面のＰＯＰエリアを示すイメージ図である。
【図３】図１に示す表示装置に表示される操作画面のお気に入りエリアを示すイメージ図である。
【図４】図１に示す業務形態情報記憶部に記憶されている業務形態テーブルを示す図である。
【図５】図１に示す操作ボタン情報記憶部に記憶されている操作ボタンテーブルを示す図である。
【図６】本発明の一実施形態となる初期設定処理を実行する際の孔版印刷装置の動作手順を示すフローチャートである。
【図７】本発明の一実施形態となる業務形態選択画面の構成を示すイメージ図である。
【図８】本発明の一実施形態となるＰＯＰエリア登録情報記憶部に記憶されるデータの構成を示す図である。
【図９】本発明の一実施形態となるお気に入りエリア登録情報記憶部に記憶されるデータの構成を示す図である。
【図１０】本発明の一実施形態となる起動処理を実行する際の孔版印刷装置の動作手順を示すフローチャートである。
【図１１】図１０に示す初期化処理のサブルーチンを示すフローチャートである。
【図１２】図１０に示す起動処理によって表示装置に表示される操作画面のＰＯＰエリアの構成を示すイメージ図である。
【図１３】図１０に示す起動処理によって表示装置に表示される操作画面のお気に入りエリアの構成を示すイメージ図である。
【符号の説明】
【００５３】
１：孔版印刷装置
２：ＣＰＵ（Central Processing Unit）
３：ＲＯＭ（Read Only Memory）
４：操作ボタン情報記憶部
５：ＲＡＭ（Random Access Memory）
６：印刷部
７：表示装置
８：入力装置
９：業務形態情報記憶部
１０：不揮発性記憶装置
１１：業務形態選択情報記憶部
１２：ＰＯＰエリア登録情報記憶部
１３：お気に入りエリア登録情報記憶部
１４：登録情報記憶部
Ａ：ＰＯＰエリア
Ｂ：お気に入りエリア
【図１】
2005288946.tif 000003
【図２】
2005288946.tif 000004
【図３】
2005288946.tif 000005
【図４】
2005288946.tif 000006
【図５】
2005288946.tif 000007
【図６】
2005288946.tif 000008
【図７】
2005288946.tif 000009
【図８】
2005288946.tif 000010
【図９】
2005288946.tif 000011
【図１０】
2005288946.tif 000012
【図１１】
2005288946.tif 000013
【図１２】
2005288946.tif 000014
【図１３】
2005288946.tif 000015